(57)【要約】  電源監視部１４が、液晶ディスプレイ１への通電状況を監視し、通電時間を示す通電履歴情報９を時間計測部３に出力し、時間計測部３が通電時間に基づき寿命カウンタ値を求め、記録部５が寿命カウンタ値を記録し、寿命判定部６が記録部５からの寿命カウンタ値の累積値である累積寿命カウント情報１２を取得し、液晶ディスプレイ１に標準に設定された寿命到来時の寿命カウンタ値と累積寿命カウント情報１２の寿命カウンタ値とを比較し、液晶ディスプレイ１の寿命が近いか否かを判定し、寿命が近い場合に液晶ディスプレイ１の交換を促すメッセージを液晶ディスプレイ１に表示させる。
2009050780.tif 000002
【特許請求の範囲】
【請求項１】
エレベータ及びエレベータ乗り場の少なくともいずれかに配置されている管理対象機器への電源投入状況を監視し、前記管理対象機器が通電している通電時間を通知する電源監視部と、
前記電源監視部により通知された通電時間に基づき、前記管理対象機器の経時劣化の度合いを表す経時劣化評価値を導出する経時劣化評価部と、
前記経時劣化評価部により導出された経時劣化評価値と、寿命到来時の経時劣化評価値である寿命時経時劣化評価値とを比較して、前記管理対象機器の寿命の到来が近いか否かを判定する寿命判定部とを有することを特徴とするエレベータの表示制御装置。
【請求項２】
前記エレベータの表示制御装置は、更に、
前記管理対象機器の周囲の温度及び前記管理対象機器の周囲の湿度の少なくともいずれかを測定し、測定値を通知する周囲環境測定部を有し、
前記経時劣化評価部は、
前記周囲環境測定部により通知された測定値に基づき、前記通電時間に基づく経時劣化評価値に付加する経時劣化評価値を導出することを特徴とする請求項１に記載のエレベータの表示制御装置。
【請求項３】
前記経時劣化評価部は、
前記周囲環境測定部により通知された測定値が所定の標準範囲内にない場合に、前記通電時間に基づく経時劣化評価値に付加する経時劣化評価値を導出することを特徴とする請求項２に記載のエレベータの表示制御装置。
【請求項４】
前記電源監視部は、
前記管理対象機器の通電時間とともに、前記管理対象機器の通電状況を前記経時劣化評価部に通知し、
前記経時劣化評価部は、
前記電源監視部より前記管理対象機器が短時間に電源投入と電源遮断を繰り返していることを通知された場合に、前記電源監視部により通知された通電時間に所定時間を付加して、前記経時劣化評価値を導出することを特徴とする請求項１〜３のいずれかに記載のエレベータの表示制御装置。
【請求項５】
前記電源監視部は、
前記管理対象機器の通電時間とともに、前記管理対象機器の通電状況を前記経時劣化評価部に通知し、
前記経時劣化評価部は、
前記電源監視部より前記管理対象機器が標準の電流値よりも低い電流値で通電していることを通知された場合に、前記電源監視部により通知された通電時間に所定時間を減じて、前記経時劣化評価値を導出することを特徴とする請求項１〜３のいずれかに記載のエレベータの表示制御装置。
【請求項６】
前記エレベータの表示制御装置は、更に、
メッセージを出力する出力部を有し、
前記寿命判定部は、
前記管理対象機器の寿命の到来が近いと判断した場合に、前記管理対象機器の寿命の到来が近いことを通知する寿命到来通知メッセージを生成し、
前記出力部は、
前記寿命判定部により生成された寿命到来通知メッセージを出力することを特徴とする請求項１に記載のエレベータの表示制御装置。
【請求項７】
前記エレベータの表示制御装置は、
エレベータ及びエレベータ乗り場の少なくともいずれかに配置されているディスプレイ機器を前記管理対象機器とすることを特徴とする請求項１に記載のエレベータの表示制御装置。
【請求項８】
前記エレベータの表示制御装置は、更に、
前記寿命判定部により前記ディスプレイ機器の寿命の到来が近いと判断された場合に、前記ディスプレイ機器の輝度及びコントラストの少なくともいずれかを調整するディスプレイ機器調整部を有することを特徴とする請求項７に記載のエレベータの表示制御装置。
【発明の詳細な説明】
【技術分野】
【０００１】
本発明は、エレベータ又はエレベータ乗り場に配置されている機器の管理に関し、特にエレベータ又はエレベータ乗り場に配置されている液晶ディスプレイ等のディスプレイ機器の寿命管理に関する。
【背景技術】
【０００２】
液晶ディスプレイの寿命は主にバックライト用の冷陰極管や内部のシール材の劣化により短くなり、その進行速度は、液晶ディスプレイへの通電時間や周囲環境（周囲の温・湿度等）によって変化する。
通電が行われると冷陰極管自体の寿命が低下するだけでなく、発熱による影響で冷陰極管・内部シール材の劣化が進んでしまうため、例えば液晶ディスプレイの通電時間を制御することで寿命を延ばす方法が提案されている（例えば、特許文献１〜特許文献３）。
【特許文献１】特開平７−３３３４８号公報
【特許文献２】特開平１１−２０９０３９号公報
【特許文献３】特開２００３−２１２４５５号公報
【発明の開示】
【発明が解決しようとする課題】
【０００３】
また周囲環境が高温高湿、あるいは低温の場合においても上記部分の劣化が進む傾向にある。
しかしながら、液晶ディスプレイをエレベータやエレベータ乗り場に設置する場合、休止時や時間帯によって液晶ディスプレイの電源や輝度を落とす事があり、また周囲環境も様々であるため、エレベータやエレベータ乗り場の利用率や設置環境によって液晶ディスプレイごとの寿命が大きく変わってしまい、交換時期の把握が難しいという課題がある。【０００４】
この発明は、上記のような課題を解決することを主な目的の一つとしており、エレベータやエレベータ乗り場に配置される機器（特に、ディスプレイ機器）ごとに寿命の到来を判断し、寿命が近づいている機器の交換を通知する技術を提供することを主な目的とする。
【課題を解決するための手段】
【０００５】
本発明に係るエレベータの表示制御装置は、
エレベータ及びエレベータ乗り場の少なくともいずれかに配置されている管理対象機器への電源投入状況を監視し、前記管理対象機器が通電している通電時間を通知する電源監視部と、
前記電源監視部により通知された通電時間に基づき、前記管理対象機器の経時劣化の度合いを表す経時劣化評価値を導出する経時劣化評価部と、
前記経時劣化評価部により導出された経時劣化評価値と、寿命到来時の経時劣化評価値である寿命時経時劣化評価値とを比較して、前記管理対象機器の寿命の到来が近いか否かを判定する寿命判定部とを有することを特徴とする。【０００６】
前記エレベータの表示制御装置は、更に、
前記管理対象機器の周囲の温度及び前記管理対象機器の周囲の湿度の少なくともいずれかを測定し、測定値を通知する周囲環境測定部を有し、
前記経時劣化評価部は、
前記周囲環境測定部により通知された測定値に基づき、前記通電時間に基づく経時劣化評価値に付加する経時劣化評価値を導出することを特徴とする。【０００７】
前記経時劣化評価部は、
前記周囲環境測定部により通知された測定値が所定の標準範囲内にない場合に、前記通電時間に基づく経時劣化評価値に付加する経時劣化評価値を導出することを特徴とする。【０００８】
前記電源監視部は、
前記管理対象機器の通電時間とともに、前記管理対象機器の通電状況を前記経時劣化評価部に通知し、
前記経時劣化評価部は、
前記電源監視部より前記管理対象機器が短時間に電源投入と電源遮断を繰り返していることを通知された場合に、前記電源監視部により通知された通電時間に所定時間を付加して、前記経時劣化評価値を導出することを特徴とする。【０００９】
前記電源監視部は、
前記管理対象機器の通電時間とともに、前記管理対象機器の通電状況を前記経時劣化評価部に通知し、
前記経時劣化評価部は、
前記電源監視部より前記管理対象機器が標準の電流値よりも低い電流値で通電していることを通知された場合に、前記電源監視部により通知された通電時間に所定時間を減じて、前記経時劣化評価値を導出することを特徴とする。【００１０】
前記エレベータの表示制御装置は、更に、
メッセージを出力する出力部を有し、
前記寿命判定部は、
前記管理対象機器の寿命の到来が近いと判断した場合に、前記管理対象機器の寿命の到来が近いことを通知する寿命到来通知メッセージを生成し、
前記出力部は、
前記寿命判定部により生成された寿命到来通知メッセージを出力することを特徴とする。【００１１】
前記エレベータの表示制御装置は、
エレベータ及びエレベータ乗り場の少なくともいずれかに配置されているディスプレイ機器を前記管理対象機器とすることを特徴とする。【００１２】
前記エレベータの表示制御装置は、更に、
前記寿命判定部により前記ディスプレイ機器の寿命の到来が近いと判断された場合に、前記ディスプレイ機器の輝度及びコントラストの少なくともいずれかを調整するディスプレイ機器調整部を有することを特徴とする。
【発明の効果】
【００１３】
本発明によれば、エレベータごと又はエレベータ乗り場ごとに異なる管理対象機器の寿命の到来を通電時間に基づいて具体的かつ正確に判定することができ、管理対象機器の交換時期を把握する手間が無くなり、さらには交換時期を周知させることで交換放置による不具合の防止やメンテナンス効率を向上させることが可能となる。
【発明を実施するための最良の形態】
【００１４】
実施の形態１．
本実施の形態に係る全体の構成例を図１に示す。
液晶ディスプレイ１（ディスプレイ機器の例）は、寿命管理の対象となる機器であり、管理対象機器の例である。また、後述する液晶ディスプレイ１の交換を促すメッセージ（寿命到来通知メッセージ）を出力する出力部の例でもある。
液晶ディスプレイ１は、例えば、図２に示すように、エレベータのカゴ１００内に配置されている。また、液晶ディスプレイ１は、例えば、図３に示すように、エレベータ乗り場２００に配置されている。【００１５】
液晶制御・駆動装置２（エレベータの表示制御装置）はエレベータ制御情報８をもとに電源及び制御信号７を送ることで液晶ディスプレイ１の電源投入及び遮断、表示する映像の切り替えや画面の調整を行う。【００１６】
また、液晶制御・駆動装置２において、電源監視部１４は、液晶制御・駆動装置２による液晶ディスプレイ１への電源投入状況を監視し、液晶ディスプレイ１が通電している通電時間を通知する通電履歴情報９を時間計測部３へ与える。
時間計測部３は、時計デバイスなどを含み、液晶ディスプレイ１の寿命カウンタを持ち、通電履歴情報９の情報をもとに寿命カウンタを変化させる。つまり、時間計測部３は、通電履歴情報９により通知された通電時間に基づき、液晶ディスプレイ１の経時劣化の度合いを表象する寿命カウンタ値（経時劣化評価値）を導出し、導出した寿命カウンタ値分寿命カウンタを進める。時間計測部３は、経時劣化評価部の例である。
記録部５は、前記時間計測部３から送られる寿命カウント情報１３を記録し、寿命カウント情報１３の累積である累積寿命カウント情報１２を出力する。
寿命判定部６は、記録部５によって記録された累積寿命カウント情報１２と、液晶ディスプレイ１に設定された寿命データとを定期的に比較し、前者の値が後者の値に非常に近くなった場合に液晶ディスプレイ１の交換時期と判定する。なお、寿命データとは、寿命到来時の寿命カウンタ値である寿命到来時カウンタ値（寿命時経時劣化評価値）が示されている情報である。寿命判定部６は、累積寿命カウント情報１２に示されている寿命カウンタの値（累積値）と寿命到来時カウンタ値とを比較して、液晶ディスプレイ１の寿命の到来が近いか否かを判定し、液晶ディスプレイ１の交換時期であるか否かを判定する。
制御部１５は、液晶制御・駆動装置２で行われる処理の制御を行う手段である。【００１７】
液晶制御・駆動装置２の制御部１５は、通常のエレベータ動作中には液晶ディスプレイ１に対して通電を行い、夜間や暫く利用が無く休止モードとなった場合、またエレベータ利用停止中は液晶ディスプレイ１の電源を遮断するように、エレベータ制御情報８に従って制御を行う。
そして、電源監視部１４により液晶ディスプレイ１に通電が行われていると判断されている場合、実際の通電時間Ｔ秒が通電履歴情報９として時間計測部３に与えられる。
この場合、時間計測部３は寿命カウンタ値をＴ秒とし、寿命カウンタはＴ秒進められる。
また、夜間や休止モードにおいて液晶ディスプレイ１の輝度を落とすように制御する場合（つまり、標準の電流値よりも低い電流値で通電している場合）、通電時間Ｔ秒及び液晶ディスプレイ１が輝度を落とすモードで動作していることを通知する通電履歴情報９が電源監視部１４から時間計測部３に与えられる。輝度が低い場合は冷陰極管に対して流れる電流値が通常より低く寿命への影響も少ないため、時間計測部３は通電時間Ｔ秒よりも短いＴ１秒（例えばＴ１＝Ｔ／２秒）を寿命カウンタ値とし、寿命カウンタはＴ１秒進められる。
また、極めて短い時間に電源のＯＮ／ＯＦＦが行われた場合は冷陰極管の劣化速度に大きな影響を与える。この場合は、通電時間Ｔ秒及び短時間に電源ＯＮ／ＯＦＦが繰り返されていることを通知する通電履歴情報９が電源監視部１４から時間計測部３に与えられ、時間計測部３は、通電時間Ｔ秒よりも長いＴ２秒（例えばＴ２＝２×Ｔ秒）を寿命カウンタ値とし、寿命カウンタはＴ１秒進められる。
また、電源が遮断されている場合には通電履歴情報９は０秒となり、寿命カウンタは変化しない。【００１８】
なお、液晶ディスプレイ１が輝度を落とすモードで動作していること、又は短時間に電源ＯＮ／ＯＦＦが繰り返されていることを通知するため、通電履歴情報９に液晶ディスプレイ１の通電状況を通知する通電状況通知フラグが設けられている。
そして、時間計測部３は通電履歴情報９の通電状況通知フラグの値により液晶ディスプレイ１の通電状況を判断する。【００１９】
また、通電履歴情報９の出力タイミングについては、液晶ディスプレイ１への通電が行われる度に、液晶ディスプレイ１への電源投入が終了したタイミングで、当該１回の電源投入における通電時間を通知する通電履歴情報９が出力されるようにしてもよいし、一定時間（例えば、３０分）ごとに、一定時間内における０回以上の通電時間をまとめて通知する通電履歴情報９が出力されるようにしてもよい。【００２０】
ここで、本実施の形態に係る時間計測部３の動作例を図４のフローチャートに従って説明する。
先ず、時間計測部３は、電源監視部１４から通電履歴情報９を入力したか否かを判断し、入力していれば（Ｓ１０１でＹＥＳ）、通電履歴情報９に液晶ディスプレイ１の輝度を落とすモードでの動作（半輝度の状態）が示されているか否かを判断し（Ｓ１０２）し、通電履歴情報９に半輝度の状態が示されている場合（Ｓ１０２でＹＥＳ）は、寿命カウンタ値をＴ１秒とし、寿命カウンタをＴ１秒進める（Ｓ１０５）。
また、通電履歴情報９に半輝度の状態が示されていない場合（Ｓ１０２でＮＯ）は、通電履歴情報９に短時間に電源ＯＮ／ＯＦＦが繰り返されていることが示されているか否かを判断し（Ｓ１０３）、通電履歴情報９に短時間に電源ＯＮ／ＯＦＦが繰り返されていることが示されている場合（Ｓ１０３でＹＥＳ）は、寿命カウンタ値をＴ２秒とし、寿命カウンタをＴ２秒進める（Ｓ１０６）。
他方、通電履歴情報９に短時間に電源ＯＮ／ＯＦＦが繰り返されていることが示されていない場合（Ｓ１０３でＮＯ）は、寿命カウンタ値をＴ秒とし、寿命カウンタをＴ秒進める（Ｓ１０４）。
そして、時間計測部３は、寿命カウンタが変化する度、又は一定時間ごと（例えば、１時間ごと）に、寿命カウンタの値を示す寿命カウント情報１３を記録部５に出力して記録部５に寿命カウント情報１３を記録させる（Ｓ１０７）。【００２１】
なお、通電履歴情報９に複数回の通電についての通電時間が示されている場合は、通電時間ごとに、ステップＳ１０２〜Ｓ１０６の処理を行って、複数の通電時間の各々に対する寿命カウンタ値Ｔ〜Ｔ２を求め、寿命カウンタを進める。【００２２】
また、時間計測部３は、ステップＳ１０７の処理が終了した後、寿命カウンタの値を初期値に戻し、次回の通電履歴情報の入力時に備える。【００２３】
記録部５は、時間計測部３が通電履歴情報９を元にカウントした寿命カウント情報１３を受け取り記録する。
また、記録部５は、記録した寿命カウント情報は新たに寿命カウント情報を入力する度に古いカウンタ値に加算し、累積寿命カウント情報１２（単位は時間）として内部に記録する。
また、本記録部５は不揮発性のメモリなどであり、液晶制御・駆動装置２自体の電源が遮断された場合でも累積寿命カウント情報１２が消える事は無い。【００２４】
寿命判定部６は液晶ディスプレイ１に標準に設定された寿命到来時カウンタ値（例えば７０，０００時間）が示される寿命データを記録しているが、記録部５が記録した累積寿命カウント情報１２を定期的に受取って液晶ディスプレイ１の寿命データと累積寿命カウント情報１２との比較を行う。
ここで累積寿命カウント情報１２の値が液晶ディスプレイ１の寿命データの寿命到来時カウンタ値に非常に近くなった（例えば６９，５００時間）場合、液晶ディスプレイ１の寿命が近い、つまり液晶ディスプレイ１の交換時期が来たと判定し、液晶ディスプレイの寿命が近く、液晶ディスプレイ１の交換を促すメッセージ（寿命到来通知メッセージ）を生成し、当該メッセージを液晶ディスプレイ１に表示させる。【００２５】
次に、寿命判定部６の動作例を図５のフローチャートに従って説明する。
寿命判定部６は、累積寿命カウント情報１２を定期的に取得するとともに、液晶ディスプレイ１の寿命データの値と累積寿命カウント情報１２の値との比較を行う（Ｓ２０１）。
次に、寿命判定部６は、累積寿命カウント情報１２の値が寿命データの５００時間以内であるか否かを判断し（Ｓ２０２）、５００時間以内でない場合（Ｓ２０２でＮＯ）の場合は、処理を終了する。
５００時間以内である場合（Ｓ２０２でＹＥＳ）は、寿命判定部６は、寿命到来通知メッセージを生成し（Ｓ２０３）、寿命到来通知メッセージを液晶ディスプレイ１に出力して（Ｓ２０４）、液晶ディスプレイ１に寿命到来通知メッセージを表示させる。【００２６】
なお、図５に示す５００時間は例示であり、寿命到来通知メッセージの出力の基準は、５００時間に限らない。【００２７】
現在、液晶ディスプレイの寿命は画面にドット欠けやライン抜け、チラツキ等の部分的な不良が見られた場合に判断され、設置からの経過年数以外に通電時間までは考慮されていない。実際に画面に部分的な不良が見られた場合に交換する方式では、不具合が起きてからでないと交換ができず、メンテナンスの効率も悪い。
さらにメンテナンス員により不具合が見逃される可能性もあるため、不具合放置の恐れがある。
本システムを用いれば、エレベータごと又はエレベータ乗り場ごとに異なる液晶ディスプレイの交換時期を通電時間に基づいて具体的に知ることが出来るため、交換時期を把握する手間が無くなり、さらには交換時期を周知させることで交換放置による不具合の防止やメンテナンス効率を向上させることが可能となる。
つまり、寿命を判定し、交換を促すメッセージを液晶ディスプレイの画面に表示させることで、交換タイミングを逃す事や放置による不点灯、ドット欠けによる視認性の低下といった不具合を防止できる。
また、設置年数の記録や画面確認（ドット欠け、ライン抜けの有無の確認等）といった交換時期の把握の手間が省けるため、メンテナンス効率の向上が期待できる。【００２８】
なお、上記の説明では、時間計測部３が通電履歴情報９の内容に基づき、半輝度の状態であれば、寿命カウンタ値をＴ１秒と判断し、短期間に電源ＯＮ／ＯＦＦが繰り返されていれば寿命カウンタ値をＴ２秒と判断し、通常の通電状況であれば寿命カウンタ値をＴ秒と判断する例を述べた。
これと異なり、例えば、電源監視部１４が、半輝度の状態であれば、通電時間をＴ１秒として通知する通電履歴情報９を生成して時間計測部３に出力し、短期間に電源ＯＮ／ＯＦＦが繰り返されている場合は、通電時間をＴ２秒として通知する通電履歴情報９を生成して時間計測部３に出力し、通常の通電状況であれば、通電時間をＴ秒として通知する通電履歴情報９を生成して時間計測部３に出力し、時間計測部３は通電履歴情報９に示されている通電時間に従って寿命カウンタを進めるようにしてもよい。
この場合は、電源監視部１４が、経時劣化評価値を導出していることになり、経時劣化評価部の例となる。【００２９】
以上、本実施の形態では、エレベータのカゴ内および乗り場に設置した液晶ディスプレイの制御・駆動を行う液晶制御・駆動装置であって、液晶ディスプレイの寿命をカウントする時計デバイスなどの時間計測部と、計測した寿命カウンタの値を記録するための不揮発性メモリなどの記録部と、液晶ディスプレイへの通電及び電源遮断情報を前記時間計測部に送る電源監視部と、前記記録部からの寿命カウンタの値と液晶ディスプレイに標準に設定された寿命を比較し、寿命を判定する寿命判定部を備えることを主な特徴とする液晶制御・駆動装置について説明した。【００３０】
また、本実施の形態では、前記時間計測部が、液晶への通電が行われている場合には寿命カウンタを進め、電源が遮断されている場合には寿命カウンタを止め、さらに短時間に電源投入・遮断が行われた場合には通常より多く寿命カウンタを進め、輝度を低くする場合には通常より少なく寿命カウンタを進めることを説明した。【００３１】
また、本実施の形態では、前記記録部が、前記時間計測部からの寿命カウント情報を記録し、定期的に前記寿命判定部に寿命カウント情報を送ることを説明した。【００３２】
また、本実施の形態では、前記寿命判定部が、液晶ディスプレイに標準に設定された寿命と比べて前記記録部による寿命カウンタ値が非常に近いと判断した場合に液晶ディスプレイに交換時期が来た旨を表示させることを説明した。【００３３】
なお、本実施の形態及び以降の実施の形態では、管理対象機器として液晶ディスプレイを例にして説明しているが、例えば、図２に示すエレベータのカゴ１００内に配置されている運転盤１０１、カゴ内ドア１０２、カゴ内ドア１０２の駆動装置、監視カメラ１０３を管理対象機器としてもよい。また、図３に示すエレベータ乗り場２００のエレベータ呼び出しボタン２０１、乗り場側ドア２０２、乗り場側ドア２０２の駆動装置を管理対象機器としてもよい。【００３４】
また、上記では、液晶ディスプレイ１の寿命が近い場合に、寿命判定部が液晶ディスプレイ１に寿命到来通知メッセージを表示することとしたが、寿命到来通知メッセージの表示に代えて、または寿命到来通知メッセージの表示とともに、寿命判定部がエレベータの管理センターに寿命到来通知メッセージを送信するようにしてもよい。【００３５】
実施の形態２．
上述のように、液晶ディスプレイの寿命は、本体及び冷陰極管の通電による劣化の他、本体の発熱や高温・高湿環境に設置することによる内部シール材の劣化により短くなる。
本実施の形態では、このような観点から、液晶ディスプレイが配置されている周囲の温度及び湿度を測定し、温度又は湿度の測定値を用いて液晶ディスプレイの寿命判定を行う例を説明する。
なお、液晶ディスプレイ１の周囲の温度及び湿度には、液晶ディスプレイ１近傍の温度及び湿度以外に液晶ディスプレイ１の外面の温度及び湿度、液晶ディスプレイ１内部の温度及び湿度が含まれる。【００３６】
図６は、本実施の形態に係る液晶制御・駆動装置２の構成例を示す。
図６において、周囲温・湿度測定部４及び周囲環境情報１０のみが図１からの変更点であり、周囲温・湿度測定部４及び周囲環境情報１０以外の要素は図１と同じなので、詳細な説明は省略する。【００３７】
周囲温・湿度測定部４は、温度センサ及び湿度センサを備え、エレベータかご内及び乗り場に設置した液晶ディスプレイ１周囲の温度及び湿度を測定し、測定値を通知する周囲環境情報１０を時間計測部３へ与える。周囲温・湿度測定部４は、周囲環境測定部の例である。
また、本実施の形態では、時間計測部３は、周囲温・湿度測定部４により通知された測定値に基づき、寿命カウンタ値（経時劣化評価値）を導出する。
具体的には、時間計測部３は、周囲温・湿度測定部４により通知された測定値が所定の標準範囲内にない場合に、通電時間に基づく寿命カウンタ値に付加する寿命カウンタ値を導出する。【００３８】
例えば、周囲温・湿度測定部４により測定された液晶ディスプレイ１の周囲の温度が液晶ディスプレイ１に標準に設定された温度より高い場合（例えば６０℃以上）はＴ３秒、低い場合（例えば、−３０℃以下）はＴ４秒、周囲の湿度が液晶ディスプレイ１に標準に設定された湿度より高い場合（例えば９０％ＲＨ以上）はＴ５秒が時間計測部３により与えられる。
高温・高湿、低温の環境下で通電を行った場合には、特に冷陰極管の劣化が進む傾向にあるためＴ３及びＴ４、Ｔ５の秒数は通常の通電時間のカウンタ値Ｔ秒（電源監視部１４から通知された通電時間Ｔ秒）に加算されてカウントされる（例えば、Ｔ３＝２秒、Ｔ４＝３秒、Ｔ５＝４秒）。
この結果、周囲温度又は周囲湿度が標準範囲内にない場合は、Ｔ＋Ｔ３（２秒）、Ｔ＋Ｔ４（３秒）、Ｔ＋Ｔ５（４秒）という形で、寿命カウンタが通常時よりも早く進むことになる。また、Ｔ３＝Ｔ４＝Ｔ５としてもよい。
また、半輝度の状態又は短期間に電源ＯＮ／ＯＦＦが繰り返されていた場合に、時間計測部３が寿命カウンタ値をＴ１秒又はＴ２秒とした場合にも、Ｔ１秒又はＴ２秒にＴ３〜Ｔ５のいずれかの秒数が加算され、寿命カウンタが通常時よりも早く進むことになる。【００３９】
次に、図７を参照して、本実施の形態に係る時間計測部３の動作例を説明する。
図７において、ステップＳ１０１〜Ｓ１０６及びＳ１０７は、図４に示した処理と同様であり、本実施の形態では、周囲環境による寿命カウント処理（Ｓ３０１）が追加されている。
本実施の形態では、時間計測部３は、電源監視部１４から通電履歴情報９を入力しない場合（Ｓ１０１でＮＯ）は、例えば、一定周期ごとに周囲温・湿度測定部４から周囲環境情報１０を入力し、入力した周囲環境情報１０に示される測定値に基づいて寿命カウンタ値の導出を行う。
また、時間計測部３は、寿命カウンタを進めた後（Ｓ１０４〜Ｓ１０６のいずれか）に、周囲温・湿度測定部４に液晶ディスプレイ１周囲の温度及び湿度の測定値を問い合わせ、周囲環境情報１０を入力し、入力した周囲環境情報１０に示される測定値に基づいて寿命カウンタ値の導出を行う。【００４０】
次に、図８を用いて、時間計測部３による周囲環境による寿命カウント処理（Ｓ３０１）の詳細を説明する。
先ず、時間計測部３は、周辺環境情報を周囲温・湿度測定部４から入力する（Ｓ４０１）。これは、前述したように、電源監視部１４から通電履歴情報９を入力しない場合は、一定周期ごとに周囲温・湿度測定部４から周囲環境情報１０を入力し、寿命カウンタを進めた場合は、周囲温・湿度測定部４に液晶ディスプレイ１周囲の温度及び湿度の測定値を問い合わせ、周囲環境情報１０を入力する。なお、周囲環境情報１０の入力形態はこれに限らない。
次に、時間計測部３は、周囲環境情報１０に示される測定温度が標準温度の上限（例えば６０℃）よりも高いか否かを判断し（Ｓ４０２）、測定温度が標準温度の上限よりも高い場合（Ｓ４０２でＹＥＳ）は、寿命カウンタ値をＴ３秒とし、寿命カウンタをＴ３秒進める（Ｓ４０５）。
また、時間計測部３は、測定温度が標準温度の上限以下であると判断した場合（Ｓ４０２でＮＯ）は、周囲環境情報１０に示される測定温度が標準温度の下限（例えば−３０℃）よりも低いか否かを判断し（Ｓ４０３）、測定温度が標準温度の下限よりも低い場合（Ｓ４０３でＹＥＳ）は、寿命カウンタ値をＴ４秒とし、寿命カウンタをＴ４秒進める（Ｓ４０６）。
また、時間計測部３は、周囲環境情報１０に示される測定湿度が標準湿度の上限（例えば９０％ＲＨ）よりも高いか否かを判断し（Ｓ４０４）、測定湿度が標準湿度の上限よりも高い場合（Ｓ４０４でＹＥＳ）は、寿命カウンタ値をＴ５秒とし、寿命カウンタをＴ５秒進める（Ｓ４０５）。【００４１】
なお、通電履歴情報９に複数回の通電についての通電時間が示されている場合は、通電時間ごとに、ステップＳ１０２〜Ｓ３０１の処理を行って、複数の通電時間の各々に対する寿命カウンタ値Ｔ〜Ｔ２を求めるとともに加算値Ｔ３〜Ｔ５を求めて、寿命カウンタを進める。【００４２】
以降の動作は、実施の形態１と同様であり、記録部５が、寿命カウント情報１３を受け取り記録し、寿命判定部６が寿命データと累積寿命カウント情報１２との比較を行って液晶ディスプレイ１の交換時期を判定し、液晶ディスプレイの寿命が近い場合は、液晶ディスプレイ１の交換を促すメッセージ（寿命到来通知メッセージ）を生成し、当該メッセージを液晶ディスプレイ１に表示させる。【００４３】
このように本実施の形態では、液晶ディスプレイの周囲の温度、湿度が液晶ディスプレイの寿命に影響を与えることから、通電時間に加えて、液晶ディスプレイの周囲の温度、湿度を寿命カウンタ値に反映させることで、エレベータの設置場所やエレベータの乗り場の環境によって異なる液晶ディスプレイの寿命を具体的かつ正確に計ることができる。
この結果、交換タイミングを逃す事や放置による不点灯、ドット欠けによる視認性の低下といった不具合を防止できる。
また、設置年数の記録や画面確認（ドット欠け、ライン抜けの有無の確認等）といった交換時期の把握の手間が省けるため、メンテナンス効率の向上が期待できる。【００４４】
また、上記の説明では、Ｔ３〜Ｔ５は加算値としたが、Ｔ３〜Ｔ５を通電時間Ｔ（又はＴ１、Ｔ２）に掛け合わせる計数としてもよい。例えば、測定温度が標準温度の上限を超える場合にはＴ３＝０．５とし、通電時間Ｔ×Ｔ３（０．５）秒を加算して（つまり、１．５×Ｔ秒分）寿命カウンタを進めるようにしてもよい。【００４５】
また、上記の説明では、加算値Ｔ３〜Ｔ５はそれぞれ固定の値としたが、標準温度、標準湿度からの偏差に応じて加算値を変化させてもよい。
例えば、測定温度と標準温度の上限との差異が５度未満の場合は、Ｔ３＝２秒とし、測定温度と標準温度の上限との差異が５度以上１０度未満の場合は、Ｔ３＝３秒とするようにしてもよい。
同様に、測定温度と標準温度の上限との差異が５度未満の場合は、Ｔ３＝０．５とし、測定温度と標準温度の上限との差異が５度以上１０度未満の場合は、Ｔ３＝０．７とし、通電時間Ｔ×Ｔ３（０．５又は０．７）秒を加算して寿命カウンタを進めるようにしてもよい。【００４６】
また、上記の説明では、時間計測部３が周囲環境情報１０に示された測定温度又は測定湿度に基づいて加算値Ｔ３〜Ｔ５を導出することとしたが、周囲温・湿度測定部４が測定温度又は測定湿度に基づいて加算値Ｔ３〜Ｔ５を導出して時間計測部３に通知するようにしてもよい。【００４７】
また、上記の説明では、液晶ディスプレイの周囲環境として、温度及び湿度を計測する例を説明したが、これに限らず、液晶ディスプレイの周囲の気圧、液晶ディスプレイが配置されるエレベータのエレベータシャフト内を流れる気流の風速等を用いるようにしてもよい。【００４８】
以上、本実施の形態では、エレベータのカゴ内および乗り場に設置した液晶ディスプレイの制御・駆動を行う液晶制御・駆動装置であって、液晶ディスプレイの寿命をカウントする時計デバイスなどの計測部と、計測した寿命カウンタ値を記録するための不揮発性メモリなどの記録部と、液晶ディスプレイへの通電及び電源遮断情報を前記時間計測部に送る電源監視部と、液晶ディスプレイ設置環境の温度湿度情報を前記時間計測部に送る周囲温・湿度測定部と、前記記録部からの寿命カウンタ値と液晶ディスプレイに標準に設定された寿命を比較し、寿命を判定する寿命判定部を備えることを主な特徴とする液晶制御・駆動装置について説明した。【００４９】
また、本実施の形態では、前記時間計測部が、液晶ディスプレイの周囲の温度及び湿度が液晶ディスプレイに設定された標準値より高い場合、または低い場合に通常より多くの寿命カウンタを進めることを説明した。【００５０】
実施の形態３．
以上の実施の形態１及び実施の形態２では、寿命の到来が近いと判断した場合に、寿命判定部６が液晶ディスプレイの交換を促すメッセージを液晶ディスプレイに表示させることとしたが、本実施の形態では、液晶ディスプレイの輝度やコントラストの調整を行って視認性を向上させる例を説明する。【００５１】
つまり、液晶ディスプレイの寿命が来た際におきるドット欠けやライン抜け、チラツキ等の不具合は起きないまでも、ある程度寿命が近くなると輝度やコントラストが初期の段階より落ちることが想定できる。このため、寿命判定部６により累積寿命カウント情報の値が液晶ディスプレイの寿命データの時間にある程度近く（例えば６５，０００時間）なったと判定した場合、液晶制御・駆動装置２が輝度やコントラストを調整することで、液晶ディスプレイの寿命が近い状態であっても視認性を向上させることができる。【００５２】
図９は、本実施の形態に係る液晶制御・駆動装置２の構成例を示す。
図９において、ディスプレイ機器調整部１６及びディスプレイ調整指示１７のみが図６からの変更点であり、ディスプレイ機器調整部１６及びディスプレイ調整指示１７以外の要素は図６と同じなので、詳細な説明は省略する。【００５３】
ディスプレイ機器調整部１６は、寿命判定部６により液晶ディスプレイ１の寿命が近いと判断された場合に、寿命判定部６からディスプレイ調整指示１７を入力し、液晶ディスプレイ１の輝度及びコントラストの少なくともいずれかを調整して液晶ディスプレイ１の視認性を向上させる。
液晶の輝度は液晶のバックライトへの電力供給量によって調整ができる。通常、エレベータに設置される液晶バックライトへの電源は液晶に隣接して設置される表示制御機器から供給することが多いため、表示制御機器内にバックライトへの電力供給量を調整可能な機能（トランジスタＯＮ／ＯＦＦや可変抵抗などを利用した回路）を設け、寿命の残存時間の情報を元に表示制御機器の電源調整機能を動作させることで液晶輝度を調整する。
具体的には、ディスプレイ機器調整部１６は、例えば、液晶ディスプレイ１の寿命までの残存時間に応じて、液晶ディスプレイ１への電力供給を所定の割合で増加させて（例えば、電力供給を２０％増加させる等）液晶ディスプレイ１の輝度を向上させる。
また、ディスプレイ機器調整部１６は、液晶ディスプレイ１の照度を照度センサにより計測し、液晶ディスプレイ１に規定されている照度と計測した照度との比較により、液晶ディスプレイ１への電力供給の増加割合を決定し、決定した増加割合に従って液晶ディスプレイ１への電力供給を増加させて液晶ディスプレイ１の輝度を向上させる。
また、コントラストは液晶ディスプレイに表示させる白・黒の割合を変更することで調整ができる。表示制御機器から液晶へはＲ．Ｇ．Ｂの色信号が入力されているため、寿命の残存時間を元にコントラスト調整が必要と判断された場合は、表示制御機器によって画面の白・黒量を調整する。通常、寿命が近い液晶はコントラストが弱くなると考えられるため、コントラストを強くする（画面の白い部分をより白く、黒い部分をより黒くする）ようにしてコントラストを調整する。
具体的には、ディスプレイ機器調整部１６は、例えば、液晶ディスプレイ１の寿命までの残存時間に応じて、液晶ディスプレイ１のコントラストを所定の割合で強くして（例えば、通常時よりも２０％コントラストを強くする等）液晶ディスプレイ１のコントラストを向上させる。【００５４】
次に、本実施の形態に係る寿命判定部６の動作例を図１０を用いて説明する。
先ず、寿命判定部６は、累積寿命カウント情報１２を定期的に取得するとともに、液晶ディスプレイ１の寿命データの値と累積寿命カウント情報１２の値との比較を行う（Ｓ２０１）。
次に、寿命判定部６は、累積寿命カウント情報１２の値が寿命データの５，０００時間以内であるか否かを判断し（Ｓ５０１）、５，０００時間以内でない場合（Ｓ５０１でＮＯ）の場合は、処理を終了する。
５，０００時間以内である場合（Ｓ５０１でＹＥＳ）は、寿命判定部６は、ディスプレイ調整指示１７をディスプレイ機器調整部１６に出力し、ディスプレイ機器調整部１６に液晶ディスプレイ１の輝度、コントラストの調整を行わせる（Ｓ５０２）。
次に、寿命判定部６は、累積寿命カウント情報１２の値が寿命データの５００時間以内であるか否かを判断し（Ｓ２０２）、５００時間以内でない場合（Ｓ２０２でＮＯ）の場合は、処理を終了する。
５００時間以内である場合（Ｓ２０２でＹＥＳ）は、寿命判定部６は、寿命到来通知メッセージを生成し（Ｓ２０３）、寿命到来通知メッセージを液晶ディスプレイ１に出力して（Ｓ２０４）、液晶ディスプレイ１に寿命到来通知メッセージを表示させる。【００５５】
なお、図１０に示す５，０００時間及び５００時間は、例示であり、液晶ディスプレイの輝度、コントラストの調整の基準、寿命到来通知メッセージの出力の基準は、５，０００時間、５００時間に限らない。【００５６】
本実施の形態によれば、寿命が近くなることにより生じる液晶ディスプレイの輝度やコントラストの劣化に対して、寿命がある程度近くなった段階で液晶制御・駆動装置２が輝度やコントラストを調整することで、液晶ディスプレイの寿命が近い状態であっても視認性を向上させることができる。【００５７】
以上、本実施の形態では、寿命判定部が液晶ディスプレイの寿命が近くなったと判定した場合に、ディスプレイ機器調整部が液晶ディスプレイの輝度やコントラストを調整して視認性を向上させることについて説明した。【００５８】
最後に、実施の形態１〜３に示した液晶制御・駆動装置２のハードウェア構成例について説明する。
図１１は、実施の形態１〜３に示す液晶制御・駆動装置２のハードウェア資源の一例を示す図である。
なお、図１１の構成は、あくまでも液晶制御・駆動装置２のハードウェア構成の一例を示すものであり、液晶制御・駆動装置２のハードウェア構成は図１１に記載の構成に限らず、他の構成であってもよい。【００５９】
図１１において、液晶制御・駆動装置２は、プログラムを実行するＣＰＵ９１１（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサともいう）を備えている。
ＣＰＵ９１１は、バス９１２を介して、例えば、ＲＯＭ（Ｒｅａｄ  Ｏｎｌｙ  Ｍｅｍｏｒｙ）９１３、ＲＡＭ（Ｒａｎｄｏｍ  Ａｃｃｅｓｓ  Ｍｅｍｏｒｙ）９１４、通信ボード９１５、液晶ディスプレイ９０１、磁気ディスク装置９２０と接続され、これらのハードウェアデバイスを制御する。
また、ＣＰＵ９１１は、ＦＤＤ９０４（Ｆｌｅｘｉｂｌｅ  Ｄｉｓｋ  Ｄｒｉｖｅ）、コンパクトディスク装置９０５（ＣＤＤ）と接続していてもよい。
更に、ＣＰＵ９１１は、図示していない温度センサ、湿度センサ、照度センサ等と接続していてもよい。
また、磁気ディスク装置９２０の代わりに、光ディスク装置、メモリカード（登録商標）読み書き装置などの記憶装置でもよい。
ＲＡＭ９１４は、揮発性メモリの一例である。ＲＯＭ９１３、ＦＤＤ９０４、ＣＤＤ９０５、磁気ディスク装置９２０の記憶媒体は、不揮発性メモリの一例である。これらは、記憶装置の一例である。
通信ボード９１５、ＦＤＤ９０４などは、入力装置の一例である。
また、液晶ディスプレイ９０１、通信ボード９１５は、出力装置の一例である。【００６０】
通信ボード９１５は、例えば、ＬＡＮ（ローカルエリアネットワーク）、インターネット、ＷＡＮ（ワイドエリアネットワーク）などに接続されていても構わない。【００６１】
磁気ディスク装置９２０には、オペレーティングシステム９２１（ＯＳ）、プログラム群９２３、ファイル群９２４が記憶されている。プログラム群９２３のプログラムは、ＣＰＵ９１１、オペレーティングシステム９２１により実行される。【００６２】
ＲＯＭ９１３には、ＢＩＯＳ（Ｂａｓｉｃ  Ｉｎｐｕｔ  Ｏｕｔｐｕｔ  Ｓｙｓｔｅｍ）プログラムが格納され、磁気ディスク装置９２０にはブートプログラムが格納されている。
液晶制御・駆動装置２の起動時には、ＲＯＭ９１３のＢＩＯＳプログラム及び磁気ディスク装置９２０のブートプログラムが実行され、ＢＩＯＳプログラム及びブートプログラムによりオペレーティングシステム９２１が起動される。【００６３】
上記プログラム群９２３には、実施の形態１〜３の説明において「〜部」として説明している機能を実行するプログラムが記憶されている。プログラムは、ＣＰＵ９１１により読み出され実行される。【００６４】
ファイル群９２４には、実施の形態１〜３の説明において、「〜の判断」、「〜の判定」、「〜の計算」、「〜の比較」、「〜の導出」、「〜の生成」、「〜の設定」、「〜の選択」等として説明している処理の結果を示す情報やデータや信号値や変数値やパラメータが、「〜ファイル」や「〜データベース」の各項目として記憶されている。
「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・編集・出力・表示などのＣＰＵの動作に用いられる。
抽出・検索・参照・比較・演算・計算・処理・編集・出力・表示のＣＰＵの動作の間、情報やデータや信号値や変数値やパラメータは、メインメモリ、レジスタ、キャッシュメモリ、バッファメモリ等に一時的に記憶される。
また、実施の形態１〜３で説明しているフローチャートの矢印の部分は主としてデータや信号の入出力を示し、データや信号値は、ＲＡＭ９１４のメモリ、ＦＤＤ９０４のフレキシブルディスク、ＣＤＤ９０５のコンパクトディスク、磁気ディスク装置９２０の磁気ディスク、その他光ディスク、ミニディスク、ＤＶＤ等の記録媒体に記録される。また、データや信号は、バス９１２や信号線やケーブルその他の伝送媒体によりオンライン伝送される。【００６５】
また、実施の形態１〜３の説明において「〜部」として説明しているものは、「〜回路」、「〜装置」、「〜機器」であってもよく、また、「〜ステップ」、「〜手順」、「〜処理」であってもよい。すなわち、「〜部」として説明しているものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、プログラムは、実施の形態１〜３の「〜部」としてコンピュータを機能させるものである。あるいは、実施の形態１〜３の「〜部」の手順や方法をコンピュータに実行させるものである。【００６６】
このように、実施の形態１〜３に示す液晶制御・駆動装置２は、処理装置たるＣＰＵ、記憶装置たるメモリ、磁気ディスク等、入力装置たるキーボード、マウス、通信ボード等、出力装置たる液晶ディスプレイ、通信ボード等を備えるコンピュータであり、上記したように「〜部」として示された機能をこれら処理装置、記憶装置、入力装置、出力装置を用いて実現するものである。
【図面の簡単な説明】
【００６７】
【図１】実施の形態１に係る液晶制御・駆動装置の構成例を示す図。
【図２】実施の形態１に係る液晶ディスプレイの設置位置の例を示す図。
【図３】実施の形態１に係る液晶ディスプレイの設置位置の例を示す図。
【図４】実施の形態１に係る時間計測部の動作例を示すフローチャート図。
【図５】実施の形態１に係る寿命判定部の動作例を示すフローチャート図。
【図６】実施の形態２に係る液晶制御・駆動装置の構成例を示す図。
【図７】実施の形態２に係る時間計測部の動作例を示すフローチャート図。
【図８】実施の形態２に係る時間計測部の動作例を示すフローチャート図。
【図９】実施の形態３に係る液晶制御・駆動装置の構成例を示す図。
【図１０】実施の形態３に係る寿命判定部の動作例を示すフローチャート図。
【図１１】実施の形態１〜３に係る液晶制御・駆動装置のハードウェア構成例を示す図。
【符号の説明】
【００６８】
１  液晶ディスプレイ、２  液晶制御・駆動装置、３  時間計測部、４  周囲温・湿度測定部、５  記録部、６  寿命判定部、７  電源及び制御信号、８  エレベータ制御情報、９  通電履歴情報、１０  周囲環境情報、１２  累積寿命カウント情報、１３  寿命カウント情報、１４  電源監視部、１５  制御部、１６  ディスプレイ機器調整部、１７  ディスプレイ調整指示。
【図１】
2009050780.tif 000003
【図２】
2009050780.tif 000004
【図３】
2009050780.tif 000005
【図４】
2009050780.tif 000006
【図５】
2009050780.tif 000007
【図６】
2009050780.tif 000008
【図７】
2009050780.tif 000009
【図８】
2009050780.tif 000010
【図９】
2009050780.tif 000011
【図１０】
2009050780.tif 000012
【図１１】
2009050780.tif 000013
【国際調査報告】
2009050780.tif 000014
2009050780.tif 000015
2009050780.tif 000016
2009050780.tif 000017